【事件の表示】
　平成１１年特許願第３３４７１６号「通常光照明と特殊波長光照明との切換可能な電子内視鏡システム」拒絶査定不服審判事件〔平成１３年　６月　５日出願公開、特開２００１−１４９３０３〕について、次のとおり審決する。
【結　論】
　本件審判の請求は、成り立たない。
【理　由】
第１　手続の経緯
　本願は，平成１１年１１月２５日の特許出願であって，平成２０年１月１７日付けで平成１９年１２月２５日付けの手続補正についての補正却下決定がなされるとともに同日付で拒絶査定がなされ，これに対し，平成２０年２月２８日に拒絶査定不服審判の請求がなされるとともに，平成２０年３月２４日付けで手続補正（以下，「本件補正」という。）がなされたものである。
　
第２　本件補正についての補正却下の決定
［補正却下の決定の結論］
　本件補正を却下する。
［理由］
１．補正の目的について
　本件補正により，特許請求の範囲の請求項１は，以下のとおり補正された。下線は，補正部分を示す。
「【請求項１】　近位端に操作部を備えるスコープと，このスコープの遠位端に設けられた撮像センサと，前記スコープの近位端に接続させられた画像信号処理ユニットとから成り，前記撮像センサで得られる画素信号に基づいてビデオ信号を前記画像信号処理ユニットで作成する電子内視鏡システムであって，
　前記スコープの遠位端の前方側を通常光及び特殊波長光のいずれか一方によって選択的に照明するための照明切換手段と，
　前記特殊波長光で照明しているときにのみ前記画素信号を調整可能なゲインで増幅する可変増幅器と，
　前記通常光による照明が前記照明切換手段によって選択されているときに前記可変増幅器のゲイン設定を調整せず，前記特殊波長光による照明が前記照明切換手段によって選択されているときにのみ前記可変増幅器のゲイン設定を調整するための手動操作可能なゲイン調整手段とを具備し，
　前記ゲイン調整手段は，前記操作部に設けられる双方向に回転可能なゲイン調整ダイヤルと，このゲイン調整ダイヤルの回転方向を検出する回転方向検出手段と，前記ゲイン調整ダイヤルの回転量を検出する回転量検出手段とから成り，
　前記ゲイン調整ダイヤルの回転軸が前記操作部内に格納され，前記ゲイン調整ダイヤルの径方向における一部のみが前記操作部の外部に露出し，
　前記回転方向検出手段によって前記ゲイン調整ダイヤルの一方の回転方向が検出された際に前記回転量検出手段によって検出された回転量に応じて前記可変増幅器のゲイン設定が増大され，前記回転方向検出手段によって前記ゲイン調整ダイヤルの他方の回転方向が検出された際に前記回転量検出手段によって検出された回転量に応じて前記可変増幅器のゲイン設定が減少させられることを特徴とする電子内視鏡システム。」
　
　上記補正は，補正前の請求項１に係る発明を特定するために必要な事項である「可変増幅器」について，「特殊波長光で照明しているときにのみ前記画素信号を調整可能なゲインで増幅する」との限定を付加し，同じく「手動操作可能なゲイン調整手段」について，「特殊波長光による照明が前記照明切換手段によって選択されているときにのみ前記可変増幅器のゲイン設定を調整する」及び「双方向に回転可能なゲイン調整ダイヤルと，このゲイン調整ダイヤルの回転方向を検出する回転方向検出手段と，前記ゲイン調整ダイヤルの回転量を検出する回転量検出手段とから成り，前記ゲイン調整ダイヤルの回転軸が前記操作部内に格納され，前記ゲイン調整ダイヤルの径方向における一部のみが前記操作部の外部に露出し，前記回転方向検出手段によって前記ゲイン調整ダイヤルの一方の回転方向が検出された際に前記回転量検出手段によって検出された回転量に応じて前記可変増幅器のゲイン設定が増大され，前記回転方向検出手段によって前記ゲイン調整ダイヤルの他方の回転方向が検出された際に前記回転量検出手段によって検出された回転量に応じて前記可変増幅器のゲイン設定が減少させられる」との限定を付加するものであるから，平成１８年法律第５５号改正附則第３条第１項によりなお従前の例によるとされる同法による改正前（以下，「平成１８年改正前」という。）の特許法第１７条の２第４項第２号の特許請求の範囲の減縮を目的とするものに該当する。
　
２．独立特許要件について
　本件補正後の前記請求項１に係る発明（以下，「補正発明」という。）が，特許出願の際独立して特許を受けることができるものであるか（平成１８年改正前の特許法第１７条の２第５項において準用する同法第１２６条第５項の規定に適合するか）について以下に検討する。
　
（１）引用刊行物およびその記載事項
　原査定の拒絶の理由に引用された文献であって，本願出願前に頒布された刊行物である特開平７−１５５２９２号公報（以下，「引用刊行物１」という。）には，図面とともに次の事項が記載されている。
　
（１−ア）
「【発明の詳細な説明】
【０００１】
【産業上の利用分野】本発明は通常の照明光による観察像と，励起光による蛍光像とを得ることのできる蛍光観察装置に関する。
【０００２】
【従来の技術】近年，生体からの自家蛍光や，生体へ薬物を注入し，その薬物の蛍光を２次元画像として検出し，その蛍光像から，生体組織の変性や癌等の疾患状態（例えば，疾患の種類や浸潤範囲）を診断する技術がある。」
　
（１−イ）
「【００１０】
【発明が解決しようとする課題】蛍光像と通常像を異なるカメラで撮影した場合，構造が複雑になったり撮像部分が大型になったりしていた。又，一つのカメラで時分割で撮影した場合，蛍光と通常画像の受光強度が極めて異なるため，蛍光像が暗くなったり通常像がハレーションが起きたり，最悪時には焼き付けが起こる問題があった。
【００１１】本発明は上述した点にかんがみてなされたもので，一つのカメラで焼き付け等が発生することがなく，かつ簡単な構造で蛍光像と通常像の両方を良好に撮影することのできる蛍光観察装置を提供することを目的とする。」
　
（１−ウ）
「【００２７】このように高速な画像信号を２次元ロックインアンプ５でＳ／Ｎの向上及び増幅を行う。特に蛍光画像の場合には明滅させた場合の明と滅との画像を差分回路２３で差分処理することによって，明滅に無関係なノイズとか特に低周波で大きくなる１／ｆノイズの影響を大幅に低減化でき，従って微弱な蛍光画像の場合にもＳ／Ｎの良い蛍光画像信号を生成できる。
【００２８】従って，差分回路２３から出力される蛍光画像信号は通常観察の画像信号のレベルから極端にアンバランスになることのないレベルに設定できる。つまり，２次元ロックインアンプ５を通すことにより蛍光画像と通常画像の信号レベルをある程度揃えられるので，蛍光画像のレベルを上げるために，信号処理系内の途中に大幅にゲインを上げる回路を設ける必要がないので，そのような場合に通常画像側でしばしば発生するハレーションとか焼き付けの発生などを有効に防止できる。
【００２９】もっとも，レーザ光の強度とか，蛍光剤の種類，蛍光の発生効率等により，蛍光の明るさ（強度）が変化するので，観察像の明るさに応じ，積分回路２４の積算回数や，デジタル窓による処理（積算回数によりビット数が多くなり，このデータをビットのどの部分のデータを切り取るかでゲインを変える。）により増幅率を変化させるようにしても良い。
【００３０】このように増幅された画像信号は画像処理装置６で，蛍光像と通常像に分け，各々を処理し，表示に適した画像データに変換し，さらにスーパインポーズ回路３０で合成し，モニタ８に表示する。」
　
（１−エ）
「【００３８】次に本発明の第２実施例を説明する。図４ないし図８は本発明の第２実施例に係り，図４は第２実施例の蛍光観察装置の構成を示し，図５は動作説明図を示し，図６は光源選択手段の１例を示し，図７は光源選択手段の他の例を示し，図８は波長選択手段の具体例を示す。この実施例は蛍光像と通常像の明るさに応じ，積算回数を制御する例を示す。
【００３９】蛍光像は通常像に比べ極めて暗くなるとともに，その蛍光の明るさは，励起波長，強度の違い，自家蛍光と薬剤による蛍光，その薬剤の種類等によって変化する。本実施例では上記のごとく蛍光像の明るさが変化し，通常像との明るさの割合が変化しても各々の像の両方を良好に表示する。」
　
（１−オ）
「【００４１】まずレーザ４１による励起光とランプ４２による照明光を光源選択手段４３で適当に選択する。生体組織３の病変部３ａ等より発生する，蛍光又は反射光に合わせ，波長（例えば蛍光なら図３の示すλ1 ，λ2 ，照明光ならそのまま）を波長選択手段４６で選択し，これを撮像素子４５で受ける。これをＡ／Ｄ変換後，積算器５０で蛍光及び通常像の明るさに応じて積分し，蛍光像は第１の画像メモリ５１へ，通常像は第２の画像メモリ５２へ振り分け，スーパーインポーズ回路５４で各々画像を合成し，モニタ５５に表示する。
【００４２】図５は図４の実施例のタイミングを示す。まず，撮像素子４５を例えば１８０フレーム／Ｓで高速駆動する。もし，観察像に対し，蛍光像を５倍感度を上げるとすると，図５のようにレーザと照明光（Ｘｅで示す）の照射時間割合を５対１とし，これに合わせ，通常像１フレームに対し蛍光像を５フレーム分積分することで蛍光像の感度を向上することができる。尚，図５中のＷは通常像のための照明光を示す。」
　
（１−カ）
「【００４９】図９は，例えば第１及び第２実施例を内視鏡に適用した第３実施例の蛍光観察内視鏡装置７２を示しており，この内視鏡を用いることで体腔内を蛍光観察でき，初期癌等の病変のスクリーニングが可能となる。なお，第１及び第２実施例と同じ構成要素は同じ符号で示す。
【００５０】この蛍光観察内視鏡装置７２は，体腔内に挿入する内視鏡７３と，光源装置２と，２次元ロックインアンプ５と，画像処理装置６と，タイミングコントローラ７と，モニタ８とより構成される。内視鏡７３の挿入部７４内にはライトガイド７５が挿通され，その手元側の端部は光源装置２に接続され，光源装置２からの照明光を導光する。
【００５１】光源装置２は図１に示す第１実施例とほぼ同じ構成である。レーザ９の励起光はモータ１０ａで回転されるチョッパ１０を経てパルス光にされ，ミラー７７ａ，回転面にミラー部と透過部（図９では点線で示す）とが設けられた回転ミラー７７ｂのミラー面でそれぞれ反射されてライトガイド７５の手元側の端部に入射される。この回転ミラー７７ｂの回転はタイミングコントローラ７により制御される。
【００５２】また，キセノンランプ１１からの光は，モータ１２ａで回転され，光路上に配置されたＲＧＢ回転フィルタ１２を通り，光路上に達したタイミングでの（回転ミラー７７ｂの）透過部を経てライトガイド７５の手元側の端部に入射される。ライトガイド７５の手元側の端部に入射された光は，挿入部７４が挿入される体腔内に導光し，先端面からさらに照明レンズ７６を経て体腔内組織側に出射する。
【００５３】この体腔内組織より発生した蛍光及び通常の光は，内視鏡先端部の観察窓に取り付けたカバーガラス，偏光板６７，対物第１レンズ４４ａ，液晶フィルタ７１，対物第２レンズ４４ｂ，を経て先端部内に配置された撮像素子４５に結像され，この撮像素子４５で光電変換される。」
　
（１−キ）
「【００５４】この撮像素子４５はドライバ４７からの駆動信号で駆動され，この撮像素子４５で光電変換された撮像信号はプレアンプ７９で増幅された後，２次元ロックインアンプ５を形成するＡ／Ｄ変換器２０と，画像処理装置６内のビデオプロセッサ８１に入力される。
【００５５】ビデオプロセッサ８１は通常光の照明の場合での撮像信号に対する信号処理を行うものであり，標準的な映像信号を生成し，スーパインポーズ回路３０′を介してモニタ８に出力され，通常像を表示する。」
　
（１−ク）
「【００５６】一方，蛍光により撮像された撮像信号はＡ／Ｄ変換器２０を経てデジタル信号に変換された後，ＯＤＤのフレーム像とＥＶＥＮのフレーム像を記憶するフレームメモリ２２ａ，２２ｂ，これらの差分を求めるを経て差分回路２３，差分出力を積分する積分回路２４を経て画像処理装置６内のマルチプレクサ２８に入力される。
【００５７】このマルチプレクサ２８で選択された信号はフレームメモリ２６，２７に一時記憶され，これらのフレームメモリ２６，２７から読み出された２つの信号は演算回路２９で演算されて，組織の性状の判別に応じた信号にした後，Ｄ／Ａ変換器８２でアナログの信号に変換した後，ビデオプロセッサ８３で標準的な映像信号を生成し，スーパインポーズ回路３０′に出力する。
【００５８】そして例えば，病変部であると判断した場合には蛍光像を特定の色信号でスーパインポーズ回路３０′に出力し，その蛍光像を，通常像にスーパーインポーズして表示したり，通常画像と蛍光画像とを並べるようなスーパインポーズ処理して２つの画像を同時に表示したりする。なお，コンピュータ３１はタイミングコントローラ７とスーパインポーズ回路３０′を制御する。
【００５９】この蛍光観察内視鏡装置７２によれば，通常の内視鏡画像の他に蛍光画像も表示できるし，病変組織の可能性のある領域を識別しやすいように表示することもできる。」
　
（１−ケ）
「【００６１】さらに，ミラーにより時分割で励起光と照明光とを順次ライトガイド７５側に導光する場合と，手動等で一方のみを選択的に導光できるように切換えられるようにしても良い。このようにして，必要となる場合のみに，蛍光観察できるようにしても良い。他の実施例に対しても同様の機能を設けても良い。」
　
　そうすると，これら（１−ア）〜（１−ケ）の記載と【図５】【図９】とを総合すると，引用刊行物１には，次の発明が記載されていると認められる。
　
「内視鏡７３と，内視鏡先端部内に配置された撮像素子４５と，画像処理装置６とからなり，前記撮像素子４５で光電変換された撮像信号を信号処理して標準的な映像信号を前記画像処理装置６で生成する蛍光観察内視鏡装置７２であって，体腔内組織側に出射されるキセノンランプ１１からの光及びレーザ９の励起光を切り換える回転ミラー７７ｂと，蛍光像と通常像の明るさに応じて増幅率を変化させる積分回路２４，を備えた蛍光観察内視鏡装置７２。」（以下，「引用発明」という。）
　
（２）対比・判断
　補正発明と引用発明とを対比すると，その機能・構造からみて，引用発明の「内視鏡７３」，「内視鏡先端部内に配置された撮像素子４５」，「撮像素子４５で光電変換された撮像信号」，「標準的な映像信号」「画像処理装置６」，「生成」，「体腔内組織側」，「出射」，「キセノンランプ１１からの光」，「レーザ９の励起光」，「キセノンランプ１１からの光及びレーザ９の励起光を切り換える回転ミラー７７ｂ」，「蛍光観察内視鏡装置７２」は，それぞれ，本願発明の「スコープ」，「スコープの遠位端に設けられた撮像センサ」，「撮像センサで得られる画素信号」，「ビデオ信号」，「画像信号処理ユニット」，「作成」，「スコープの遠位端の前方側」，「照明」，「通常光」，「特殊波長光」，「いずれか一方によって選択的に照明する照明切換手段」，「電子内視鏡システム」に相当するのは明らかである。
　そして，【図９】の記載から，引用発明の「画像処理装置６」は，「内視鏡７３」の近位端に接続されていることは明らかであるから，これは補正発明の「スコープの近位端に接続させられた画像信号処理ユニット」に相当するということができる。
そうすると，両者は，
　
（一致点）
「スコープと，このスコープの遠位端に設けられた撮像センサと，前記スコープの近位端に接続させられた画像信号処理ユニットとから成り，前記撮像センサで得られる画素信号に基づいてビデオ信号を前記画像信号処理ユニットで作成する電子内視鏡システムであって，前記スコープの遠位端の前方側を通常光及び特殊波長光のいずれか一方によって選択的に照明するための照明切換手段と，を備えた電子内視鏡システム。」である点で一致し，以下の点で相違する。
　
（相違点１）
　「操作部」について，補正発明はスコープの「近位端」に備えているのに対し，引用発明はどの部位に備えるのか明示されていない点。
　
（相違点２）
　「可変増幅器」とそれを操作する「ゲイン調整手段」について，補正発明では「通常光による照明が前記照明切換手段によって選択されているときに前記可変増幅器のゲイン設定を調整せず，前記特殊波長光による照明が前記照明切換手段によって選択されているときにのみ」設定可能であるのに対し，引用発明は，そのような構成を持たない点。
　
（相違点３）
　補正発明は「ゲイン調整手段は，前記操作部に設けられる双方向に回転可能なゲイン調整ダイヤルと，このゲイン調整ダイヤルの回転方向を検出する回転方向検出手段と，前記ゲイン調整ダイヤルの回転量を検出する回転量検出手段とから成り，
　前記ゲイン調整ダイヤルの回転軸が前記操作部内に格納され，前記ゲイン調整ダイヤルの径方向における一部のみが前記操作部の外部に露出し，
　前記回転方向検出手段によって前記ゲイン調整ダイヤルの一方の回転方向が検出された際に前記回転量検出手段によって検出された回転量に応じて前記可変増幅器のゲイン設定が増大され，前記回転方向検出手段によって前記ゲイン調整ダイヤルの他方の回転方向が検出された際に前記回転量検出手段によって検出された回転量に応じて前記可変増幅器のゲイン設定が減少させられる」構成を持つのに対し，引用発明はそのような構成を持たない点。
　
　まず，（相違点１）について検討するに，電子内視鏡システムにおいて，スコープの近位端に操作部を設けることは，当該技術分野においては周知であるといえる。
　例えば，原査定の拒絶の理由に引用された文献であって，本願出願前に頒布された刊行物である特開平６−１４２０３０号公報には，【図１】とともに以下の事項が記載されている。
「【００１７】図１に示すように，この第１実施例の内視鏡１は，操作部２から細長の挿入部３を延設し，この挿入部３の先端部３ａには，図１２に示めすように，硬質な材料で形成され先端角にアール加工が施された，複数の孔を有する先端枠３ｂが設けられ，この先端枠３ｂ内に対物光学系３ｃが設けられていて，この対物光学系３ｃの結像面には，観察対象の画像を光電変換するためのＣＣＤ等の固体撮像素子３ｄの撮像面が配設されている。そして，この固体撮像素子３ｄからは基板３ｅを介して信号線３ｆが配設されている。さらに，この挿入部３の先端部３ａの先端枠３ｂには，体腔内での流体制御や処置具を挿通しての処置等をするためのチャンネル３ｇが設けられていて，操作部２に形成された図示しない鉗子口や流体制御機構へと，柔軟なチューブが接続されている。
【００１８】この実施例の内視鏡１では，チャンネル３ｇの径が固体撮像素子３ｄなどに比べて大きく形成されていて，吸引や処置などを行い易い内視鏡となっている。
【００１９】また，前記操作部２の側部からは，前記固体撮像素子３ｄから操作部２を介して配設されている信号線３ｆや，ライトガイド等が内設されているユニバーサルコード４を延設していて，このユニバーサルコード４の先端に設けられているコネクタをＣＣＵ（カメラコントロールユニット）などに接続するようになっている。」
　同じく，原査定の拒絶の理由に引用された文献であって，本願出願前に頒布された刊行物である特開平６−２３３７３９号公報には，【図２】，【図５】とともに以下の事項が記載されている。
「【００５６】図５から図７は上述の内視鏡本体１２に設けられる操作ボタンとしての操作スイッチ１５ｂの実施例を示す。この操作スイッチ１５ｂは操作部１４に複数個配設されており，通常左手で操作部１４を把持し，２つの重ねられた湾曲操作ノブ１５ａを左手の親指と人差し指もしくは中指で回転操作するので，人差し指または親指が届きスイッチングできる位置および高さとなっている。
【００５７】これらの操作スイッチ１５ｂによる操作には，一般に体腔Ａ内から鉗子挿通路を通して体液等を吸引する吸引操作や，別に設けられたチューブを通して先端部１８にあるノズルから水を勢い良く，固体撮像装置に体腔内像を結像する結像レンズ群の第一面に吹き付け付着した体液を取り除いたり，面上に残った水を吹き飛ばして排除するための空気を送ったりする流体制御操作が含まれる。更に，固体撮像装置からの信号によりＴＶモニター上に映し出された画像をビデオプリンターやスチルカメラに記録したり，画像を一度静止させて診断したり，画像をビデオテープに記録したりする画像記録操作や，上記の操作ノブ１５ａで行っていた湾曲操作を電動にした場合の湾曲操作スイッチ，画像の色調調整，強調等のスイッチング等も含まれる。」
　そうすると，引用発明の電子内視鏡システムの操作部の配置構成として，上記周知の事項を適用することによって，本願発明のような構成とすることは，当業者にとって容易に想到しうるものである。
　
　（相違点２）（相違点３）について検討するに，電子式内視鏡システムの分野において，「可変増幅器のゲイン設定を調整するための手動操作可能なゲイン調整手段」及び「ゲイン調整のためにダイヤル式スイッチを用いる」点は周知の事項であったといえる。
　例えば，原査定の拒絶の理由に引用された文献であって，本願出願前に頒布された刊行物である特開平１０−２４３３８５号公報には，「ビデオマイクロスコープ」の「ゲイン調節スイッチ」について，
「【００３６】ゲイン調整スイッチは，ダイアル式スイッチ又はプッシュ式スイッチのいずれかからなり，オートモードとマニアルモードの切り替えが可能になっており，オートモードを選択した場合にはどんな被写体の明るさに対しても，同じ明るさの映像出力信号になるように自動調整され，またマニアルモードを選択した場合には，ユーザの好みの明るさに調整されるように，映像を観察しながらスイッチを調整するもので，この切り替えを行うときや，マニアルモードでの調整時にはスイッチ操作が必要となる。」と，記載されている。
　さらに，引用発明においては，（１−ウ）【００２９】に「蛍光画像」の信号レベルに関して「増幅率を変化させるようにしても良い」と記載されていることから，「前記特殊波長光で照明しているときにのみ前記画素信号を調整可能なゲインで増幅する」ものであるといえるから，「ゲイン調整手段」は，「通常光による照明が前記照明切換手段によって選択されているときに前記可変増幅器のゲイン設定を調整せず，前記特殊波長光による照明が前記照明切換手段によって選択されているときにのみ」に作動するものであるといえる。
　また，（相違点３）の「このゲイン調整ダイヤルの回転方向を検出する回転方向検出手段と，前記ゲイン調整ダイヤルの回転量を検出する回転量検出手段とから成り，
　前記ゲイン調整ダイヤルの回転軸が前記操作部内に格納され，前記ゲイン調整ダイヤルの径方向における一部のみが前記操作部の外部に露出し，
　前記回転方向検出手段によって前記ゲイン調整ダイヤルの一方の回転方向が検出された際に前記回転量検出手段によって検出された回転量に応じて前記可変増幅器のゲイン設定が増大され，前記回転方向検出手段によって前記ゲイン調整ダイヤルの他方の回転方向が検出された際に前記回転量検出手段によって検出された回転量に応じて前記可変増幅器のゲイン設定が減少させられる」構成とは，「ダイヤルスイッチ」のごく一般的な構造を示しているものに過ぎず，ゲイン調整手段に採用したことにより格別の技術的意義を有するとはいえない。
　そうすると，引用発明における（相違点２）（相違点３）の構成に上記周知の事項を適用して，本願発明のような構成とすることは，当業者にとって容易に想到しうるものである。
　
　そして，本願明細書に記載された効果も，引用発明および上記周知の事項から，当業者が予測し得る範囲のものであり，格別顕著なものといえない。
　したがって，補正発明は，引用発明および周知の事項に基づいて当業者が容易に発明することができたものであるから，特許法第２９条第２項の規定により特許を受けることができない。
　
（３）むすび
　以上のとおりであるから，本件補正は，平成１８年改正前の特許法第１７条の２第５項において準用する同法第１２６条第５項の規定に違反するので，特許法第１５９条第１項の規定において読み替えて準用する同法第５３条第１項の規定により，却下すべきものである。
　
第３　本願発明について
１．本願発明
　平成２０年３月２４日付けの本件補正は上記のとおり却下されることとなったので，本願の請求項１ないし２に係る発明は，平成１９年７月５日付けの手続補正書により補正された特許請求の範囲の請求項１ないし２に記載された事項により特定されたとおりのものと認められ，その請求項１に係る発明は次のとおりのものである。
「【請求項１】
　近位端に操作部を備えるスコープと，このスコープの遠位端に設けられた撮像センサと，前記スコープの近位端に接続させられた画像信号処理ユニットとから成り，前記撮像センサで得られる画素信号に基づいてビデオ信号を前記画像信号処理ユニットで作成する電子内視鏡システムであって，
　前記スコープの遠位端の前方側を通常光及び特殊波長光のいずれか一方によって選択的に照明するための照明切換手段と，
　前記画素信号を調整可能なゲインで増幅する可変増幅器と，
　前記特殊波長光による照明が前記照明切換手段によって選択されているときに前記可変増幅器のゲイン設定を調整するための手動操作可能なゲイン調整手段とを具備し，
　前記ゲイン調整手段は前記操作部に設けられる電子内視鏡システム。」
　
２．引用刊行物およびその記載事項
　原査定の理由に引用した刊行物およびその記載事項は，前記「第２　２．（１）」に記載したとおりである。
　
３．対比・判断
　本願発明は，前記「第２　２．」において検討した補正発明から，「可変増幅器」の限定事項である「特殊波長光で照明しているときにのみ前記画素信号を調整可能なゲインで増幅する」との限定を省き，また，「手動操作可能なゲイン調整手段」について，「特殊波長光による照明が前記照明切換手段によって選択されているときにのみ前記可変増幅器のゲイン設定を調整する」及び「双方向に回転可能なゲイン調整ダイヤルと，このゲイン調整ダイヤルの回転方向を検出する回転方向検出手段と，前記ゲイン調整ダイヤルの回転量を検出する回転量検出手段とから成り，前記ゲイン調整ダイヤルの回転軸が前記操作部内に格納され，前記ゲイン調整ダイヤルの径方向における一部のみが前記操作部の外部に露出し，前記回転方向検出手段によって前記ゲイン調整ダイヤルの一方の回転方向が検出された際に前記回転量検出手段によって検出された回転量に応じて前記可変増幅器のゲイン設定が増大され，前記回転方向検出手段によって前記ゲイン調整ダイヤルの他方の回転方向が検出された際に前記回転量検出手段によって検出された回転量に応じて前記可変増幅器のゲイン設定が減少させられる」との限定を省くものである。
　そうすると，本願発明の構成要件をすべて含み，さらに他の構成要件を付加したものに相当する補正発明が，前記「第２　２．（２）」に記載したとおり，引用発明及び周知の事項に基づいて，当業者が容易に発明をすることができたものであるから，本願発明も，同様の理由により，引用発明及び周知の事項に基づいて当業者が容易に発明できたものである。
　
４．まとめ
　以上のとおり，本願発明は，引用刊行物１に記載された発明及び周知の技術に基づいて当業者が容易に発明できたものであるから，特許法第２９条第２項の規定により特許を受けることができない。
　したがって，その他の請求項に係る発明について言及するまでもなく，本願は拒絶されるべきものである。
　よって結論のとおり審決する。